(57)【要約】【課題】  本発明の目的は、エジソンランプを現代によみがえらせ、ロウソクの灯りのように風にゆらぎ、日本の伝統ある環境・雰囲気にマッチする竹フィラメントランプを提供する。【解決手段】  本発明のフィラメントランプ回路は、入力された交流電流を直流電流に変換するスイッチング電源と、感知した風の強さに対応した電気信号を出力する風センサと、風センサが出力した電気信号に応じてパルス信号を出力するスイッチング電源に接続されたセンサ信号処理部と、スイッチング電源及びセンサ信号処理部に接続されセンサ信号処理部が発振したパルスに応じて該スイッチング電源から入力される直流電流をオン／オフ制御するスイッチ回路と、スイッチ回路に接続され、スイッチ回路がオン／オフ制御した電流を平滑化する平滑化フィルタと、平滑化フィルタに接続され平滑化フィルタ平が平滑化した電流に応じて発光するフィラメントランプと、を含む。【選択図】    図１      
2005228587.tif 000002
【特許請求の範囲】
【請求項１】
入力された交流電流を制御するスイッチング電源と、
風の強さを感知して、該感知した風の強さに対応した電気信号を出力する風センサと、
前記風センサが出力した電気信号に応じてパルス信号を出力する、前記スイッチング電源に接続されたセンサ信号処理部と、
前記スイッチング電源及びセンサ信号処理部に接続され、該スイッチング電源から入力された電流に、該センサ信号処理部が発振したパルス信号に比例する電流を加算するスイッチ回路と、
前記スイッチ回路に接続され、該スイッチ回路を介して入力される電流に応じて発光する電灯と、
を含む、電灯回路。
【請求項２】
前記スイッチング電源は、入力された交流電流を交流電流のまま前記スイッチ回路及びセンサ信号処理部に出力する、請求項１に記載の電灯回路。
【請求項３】
前記スイッチング電源は、入力された交流電流を直流電流に変換して前記スイッチ回路及びセンサ信号処理部に出力する、請求項１に記載の電灯回路。
【請求項４】
前記スイッチ回路と電灯との間を中継して接続され、該スイッチ回路を介して入力される電流を平滑化して該電灯に出力する平滑化フィルタを更に含む、請求項１乃至請求項３に記載の電灯回路。
【請求項５】
前記電灯は竹フィラメントランプである、請求項１乃至請求項４に記載の電灯回路。
【請求項６】
前記風センサは、ストレインゲージを備える、請求項１乃至請求項５に記載の電灯回路。
【請求項７】
前記ストレインゲージは、風の強さを感知するための薄板を取り付けた、請求項６に記載の電灯回路。
【請求項８】
前記風センサは、防水加工を施されている、請求項１乃至請求項７に記載の電灯回路。
【請求項９】
前記風センサが感知する風の強さが閾値以上の場合に、前記センサ信号処理部はパルス信号を出力する、請求項１乃至請求項８に記載の電灯回路。
【請求項１０】
前記風センサが感知する風の強さが、回路に発生する閾値以下のノイズ信号の場合に、前記センサ信号処理部は該ノイズ信号を出力し、無風時でも前記電灯が該ノイズ信号による揺らぎを再現する、請求項１乃至請求項９に記載の電灯回路。
【請求項１１】
前記電灯は、該電灯に印加された電圧の変化に対して１０〜６０ｍｓ遅延して反応する、請求項１乃至請求項１０に記載の電灯回路。
【請求項１２】
請求項１乃至請求項１１の何れかに記載の電灯回路は複数の電灯を有し、
該複数の電灯のうち何れか１又は複数の電灯を選択して、該選択した１又は複数の電灯に前記電流を供給し得る選択手段を有する、
請求項１乃至請求項１１の何れかに記載の電灯回路
【請求項１３】
前記複数の電灯のうち、少なくとも１つは竹フィラメントランプである、請求項１２に記載の電灯回路。
【請求項１４】
請求項１乃至請求項１３の何れかに記載の電灯回路と、
前記電灯回路を内蔵し、該電灯回路の電灯を囲繞する筐体と、
を含む、照明器具。
【請求項１５】
前記筐体は、少なくとも一部が薄紙で構成され、該薄紙と接続された前記電灯回路のストレインゲージが該薄紙の振動を感知する、請求項１４に記載の照明器具。
【請求項１６】
前記筐体は、側部にスリットを有する、請求項１４又は請求項１５に記載の照明器具。
【発明の詳細な説明】
【技術分野】
【０００１】
本発明は風による揺らぎを取り入れた電灯回路、及びこれを用いたより自然に近い照明を再現する照明器具に関する。
【背景技術】
【０００２】
１９世紀末にＴ・Ａ・エジソンによって実用的な白熱電球が発明されて以来、２０世紀は白熱電球のみならず、さまざまな種類の蛍光灯、ＨＩＤ光源と総称されるメタルハライドランプ、水銀ランプ、高圧ナトリウムランプ等の高輝度放電管ランプが開発され、光があふれる世紀になった。２１世紀に入った今、先進国における「照明」への要求は多様化し、高度化し続けている。
【０００３】
エジソンが木綿の縫い糸を炭化したものをフィラメントにして最初の白熱電球を発明したのは１８７９年で、約４０時間点灯したと云われている。その後、より良質の炭素材をつくり出すために、世界中から約７０００種類以上の植物性材料を集め、これを炭化して実験をくり返した結果、日本産の竹、それも京都・八幡市男山付近甲マダケを焼いた竹炭が最優秀で、２４５０時間灯り続けたと云われている。１８８１年のことである。
【０００４】
上記エジソンランプ、あるいは「竹フィラメントランプ」の技術は、竹を焼成して微細加工を加え、フィラメントに仕上る技術と、電球としで性能を発揮させる組み立て技術、ロウソクに近い照明と耐久性を確保する電気回路設計技術、検査評価技術等からなる。
【０００５】
エジソンランプは１２０年前のものであり、博物館にある。現在、エジソンランプは国内でも製造されており、いずれも竹フィラメントを使用し、エジソンランプを忠実に再現しようとしている。
【０００６】
更に、エジソンランプをよりロウソクに近い照明とするには、当該照明が風に揺らぐ様子を再現することが好ましい。
【０００７】
風センサーとして、空気振動をキャッチする方法はいろいろ存在する。例えば従来はフォトリフレクターを使用していた。すなわち、微妙な風による振動を振動板で受け止め、光の振動板からの反射を計測して風を検知するものであった。しかしこの方式は、微風に対する感度がにぶく、外部からの光に誤反応しやすい。
【０００８】
また、エジソンランプにおいて竹フィラメントを構成する炭素の中の自由電子は、言わば導体よりの半導体のような動きをするため、タングステンのような金属内の金属結合における自由電子のような高速な移動はできない。遅い電子の動きのため、風の変化が速すぎた場合に変化に追従できない場合が発生する。
【発明の開示】
【発明が解決しようとする課題】
【０００９】
従って風の微妙なそよぎにロウソクがゆらぐようすをどこまで再現できるかが課題である。そこで本発明は、エジソンランプを現代によみがえらせ、ロウソクの灯りのように風にゆらぎ、日本の伝統ある環境・雰囲気にマッチする電灯を提供することを目的とする。
【課題を解決するための手段】
【００１０】
本発明の電灯回路は、入力された交流電流を制御するスイッチング電源と、風の強さを感知して、該感知した風の強さに対応した電気信号を出力する風センサと、前記風センサが出力した電気信号に応じてパルス信号を出力する、前記スイッチング電源に接続されたセンサ信号処理部と、前記スイッチング電源及びセンサ信号処理部に接続され、該スイッチング電源から入力された電流に、該センサ信号処理部が発振したパルス信号に比例する電流を加算するスイッチ回路と、前記スイッチ回路に接続され、該スイッチ回路を介して入力される電流に応じて発光する電灯と、を含む。
【００１１】
本発明の電灯回路は、前記スイッチング電源は、入力された交流電流を交流電流のまま前記スイッチ回路及びセンサ信号処理部に出力してもよい。あるいは前記スイッチング電源は、入力された交流電流を直流電流に変換して前記スイッチ回路及びセンサ信号処理部に出力してもよい。
【００１２】
本発明の電灯回路は、前記スイッチ回路と電灯との間を中継して接続され、該スイッチ回路を介して入力される電流を平滑化して該電灯に出力する平滑化フィルタを更に含んでもよい。
【００１３】
本発明の電灯回路は、前記電灯はフィラメントランプであってもよい。また、このフィラメントランプを構成するフィラメントは竹炭であり得る。竹炭のフィラメント（以下、竹フィラメントという。）を使用することにより、本発明を構成する電灯は、ロウソクの光のような自然な光を再現することができる。
【００１４】
本発明の電灯回路は、前記風センサは、ストレインゲージを備え得る。風センサにストレインゲージを使用することで、微風への感度を向上させ、風センサ自身を小型化することができる。また、前記ストレインゲージは、風の強さを感知するための薄板を取り付けてもよい。
【００１５】
尚、上記ストレインゲージは、受けた風による薄板の歪を利用して風の強さを感知するが、本発明の電灯回路において風センサは、風に起因する圧力や伸縮、化学変化等の他の現象を利用したセンサであってもよい。
【００１６】
本発明の電灯回路は、前記風センサは、防水加工を施されていてもよい。
【００１７】
本発明の電灯回路は、前記風センサが感知する風の強さが閾値以上の場合に、前記センサ信号処理部はパルス信号を出力することを特徴とする。風センサが感知する風の強さの閾値は複数でも良く、複数の閾値を設定することにより、風の揺らぎを再現することができる。
【００１８】
本発明の電灯回路は、前記風センサが感知する風の強さが、回路に発生する閾値以下のノイズ信号の場合に、前記センサ信号処理部は該ノイズ信号を出力することもできる。回路に発生するノイズ信号で揺らぎ制御を行い、無風の場合でも揺らぎを表現することができる。
【００１９】
本発明の電灯回路は、前記電灯は、該電灯に印加された電圧の変化に対して１０〜６０ｍｓ遅延して反応し得る。
【００２０】
本発明の電灯回路は複数の電灯を有し、該複数の電灯のうち何れか１又は複数の電灯を選択して、該選択した１又は複数の電灯に前記電流を供給し得る選択手段を有し得る。
【００２１】
本発明の電灯回路は、前記複数の電灯のうち、少なくとも１つは竹フィラメントランプであることを特徴とする。
【００２２】
本発明の照明器具は、上記何れかの電灯回路と、前記電灯回路を内蔵し、該電灯回路の電灯を囲繞する筐体と、を含む。
【００２３】
本発明の照明器具は、前記筐体は、少なくとも一部が薄紙で構成され、該薄紙と接続された前記電灯回路のストレインゲージが該薄紙の振動を感知することを特徴とする。また、本発明の照明器具は、前記筐体は、側部にスリットを有し得る。
【発明の効果】
【００２４】
本発明の電灯回路は、寿命は連続点灯時間６００〜２０００時間を達成し、特に照明の明るさや色合いについては、ロウソクの灯りに限りなく近い照明を実現し得る。
【００２５】
また、本発明の電灯回路は、ロウソクの灯りのように風にゆらぐ様子を再現することができる。
【発明を実施するための最良の形態】
【００２６】
本発明の電灯回路を図を用いて説明する。図１において本実施形態の電灯回路１０は、入力された交流電流を制御するスイッチング電源１２と、風の強さを感知して当該感知した風の強さに対応した電気信号を出力する風センサ２８と、風センサ２８が出力した電気信号に応じてパルス幅を変調しながら当該パルスを発振するセンサ信号処理部１８と、スイッチング電源１２及びセンサ信号処理部１８に接続され、スイッチング電源１２から入力された電流にセンサ信号処理部１８が発振したパルス信号に比例する電流を加算するスイッチ回路２２と、を含む。
【００２７】
更に本実施形態の電灯回路１０は、スイッチ回路２２に接続され、スイッチ回路２２を介して入力される電流を平滑化する平滑化フィルタ２４と、平滑化フィルタ２４に接続されて平滑化フィルタ２４が平滑化した電流に応じて発光する電灯２６を含む。尚、本実施形態の電灯回路１０に用いられる電灯２６は竹フィラメントランプであるが、他の一般的な市販の電灯を用いてもよい。
【００２８】
また、平滑化フィルタ２４は必須ではなく、スイッチ回路２２と電灯２６が直接接続されてもよい。この場合、スイッチ回路２２を介して入力される電流の強さ（又は電圧の大きさ）により、直接的に電灯２６の発光が制御される。
【００２９】
本発明の電灯回路は、スイッチング電源１２は、入力された交流電流を交流電流のままスイッチ回路２２及びセンサ信号処理部１８に出力してもよい。あるいはスイッチング電源１２は、入力された交流電流を直流電流に変換してスイッチ回路２２及びセンサ信号処理部１８に出力してもよい。以下、本実施形態においては、スイッチング電源１２は入力された交流電流を直流電流に変換して各素子に供給する場合について説明する。
【００３０】
本実施形態における電灯回路の各構成要素を表１にまとめた。表１及び図１を用いて、本実施形態における電灯回路の動作を説明する。
【表１】
2005228587.tif 000003
【００３１】
本実施形態の電灯回路１０において、スイッチング電源１２は、入力された交流電圧をＡＣ１００ＶからＤＣ２４Ｖの直流電圧に変換してスイッチ回路２２及び電源回路１４に供給する。また、電源回路１４は、スイッチング電源１２から供給された電圧をセンサ信号処理部１８と増幅回路１６に分配供給する。
【００３２】
風センサ２８が、感知した風の強さに対応して出力した電気信号は、増幅回路１６で増幅されてセンサ信号処理部１８に出力される。本実施形態で用いた風センサ２８は、以下に説明するようにストレインゲージを使用した。又、図１において風センサ２８に向かう波矢印は、風センサ２８が感知する風を表す。
【００３３】
次にセンサ信号処理部１８は、増幅回路１６から受取った信号をＰＷＭ（Ｐｕｌｓｅ  Ｗｉｄｔｈ  Ｍｏｄｕｌａｔｉｏｎ）制御する。即ちセンサ信号処理部１８は、増幅回路１６からの信号をＡＤ変換し、変換されたデータに応じてパルス幅を制御する。
【００３４】
上記センサ信号処理部１８によってパルス化されたＰＷＭ制御信号は、ドライブ回路２０を介してスイッチ回路２２に出力される。スイッチ回路２２は、例えばＦＥＴとダイオードで降圧チョッパを構成し、スイッチ回路２２をオン／オフ制御する。あるいはスイッチ回路２２は、スイッチング電源１２から供給された電流（又は電圧）に、パルス信号の電流（又は電圧）を加算して平滑化フィルタ２４（又は電灯２６）に出力する。
【００３５】
平滑化フィルタ２４は、スイッチ回路２２がオンの場合にスイッチ回路２２から流れ出る電流を平滑化して電灯２６に出力する。平滑化フィルタ２４はコンデンサＣと、コイルＬを含んで構成され、電流の平滑化を行なう。フィラメントに印加される電圧の変動に応じて電灯２６は揺らぐ光を発光する。
【００３６】
図２を用いて、本発明の電灯回路における、風による揺らぎを再現する動作原理を更に詳説する。１）風によって風センサ２８が備える薄板が振動する。２）風センサ２８は薄板の振動を電気信号に変換し、増幅回路１６が当該電気信号を増幅する。
３）増幅回路１６により増幅された電気信号をセンサ信号処理部１８がＡＤ変換し、ディジタル信号に変換する。４）電気信号をセンサ信号処理部１８は、上記ディジタル信号がある閾値を超えると、一定期間パルス幅を変動させる。５）スイッチ回路２２及び平滑化フィルタ２４は、上記パルス幅の変動によって電灯２６に印加される電圧を制御する。６）上記電灯２６に印加される電圧の変動により、電灯１０は、風センサ２８の薄板が感知した揺らぎを再現する。
【００３７】
次に、本実施形態における風にゆらぐ電灯回路の設計及び製造方法について説明する。
【００３８】
（１）風にゆらぐフィラメントランプの技術
本実施形態における風にゆらぐ電灯はフィラメントランプを使用しており、フィラメントは竹炭で形成されている。電灯に竹フィラメントランプを用いることにより、より自然で柔らかい光を表現することができる。本実施形態のフィラメントランプの製造技術は、「竹フィラメントランプ」の技術と、「風にゆらぐ竹フィラメントランプ」の技術の２段階で構成されている。
【００３９】
「竹フィラメントランプ」の技術は、竹を焼成して微細加工を加え、フィラメントに仕上る技術と、電球として性能を発揮させる組み立て技術、ロウソクに近い照明と耐久性を確保する電気回路設計技術、検査評価技術等からなる。竹フィラメントランプは市販されており（例えば、旭光電機工業株式会社、浅田電球製作所）、本実施形態では竹フィラメントランプは既存の製品を用いる。
【００４０】
また、「風にゆらぐ竹フィラメントランプ」の技術は「竹フィラメントランプ」の技術に風センサーを付加してロウソクの灯りにより近づけようとするものである。しかし、現代の白熱電球製造技術は成熱、円熟の域にあり、本実施形態でも、既存の白熱電球製造技術を用いる。
【００４１】
（２）風センサーの選定、設計
電灯（本実施形態においては竹フィラメントランプ。以下本明細書において、単に電灯という）が風によってロウソクの灯がゆらぐように光の変化をもたせる。それには風を感知し、電気信号に変換して、電灯に電圧変化を伝えて、光の変化を生み出すことになる。
【００４２】
本実施形態において、風センサとしてストレインゲージ方式を採用し、微風への感度向上、小型化等を図った。
【００４３】
上述のように従来は、例えばゆらぎランプの風センサフォトリフレクタを使用し、受風板からの反射を利用して風を検出した。しかし、外部からの光に影響を受けることと感度が悪いため、本実施形態ではストレインゲージを用いた風センサを使用した。これにより、外部からの光に影響されることなく、感度を向上させることができた。また、風センサの小型化に成功した。以下に、フォトリフレクタとストレインゲージの比較表を示す。
【表２】
2005228587.tif 000004
【００４４】
（３）電気回路の設計
従来のエジソンランプの寿命の短さは直流の電気を使うことにあるとも思われた。すなわち、電源のＯＮ／ＯＦＦ時の影響が大きく、常に一定方向に電気が流れるためにフィラメントの欠陥が誇張される傾向にある。ＡＣ１００Ｖの電源からスイッチング電源１２によりＤＣ２４Ｖに変換して、風センサー２８のセンサ信号処理部１８のＰＷＭ（Ｐｕｌｓｅ  Ｗｉｄｔｈ  Ｍｏｄｕｌａｔｉｏｎ）制御も加味して再度、スイッチ回路２２により矩形波形の高周波パルスで電灯を動作させることにした。電気回路と仕様は上記のように、図１、表１に示す通りである。
【００４５】
制御回路風においては、風センサ２８によって検知した風を、電球に印加される電圧の変動に変換してゆらぎを表現する。電圧を制御するためにコントロール電源を用い、これを電源ＯＮ時やＯＦＦ時に風のそよぎに反応する圧力センサーに対応した動きを行う、コントローラーとして動作させる。
【００４６】
４．電球の組み立て
現代の白熱電球製造技術は成熟、円熟の域にある。本技術開発も、既存の白熱電球製造技術をもちいた。但し、次の重要な基本仕様は設定した。
（ａ）竹フィラメントは両端加工して導線を巻いて納入し、これに「フィラメント縦線形式ＪＩＳ  Ｃ７７１１」に規定される縦線形式Ｃ−６に接続した。
（ｂ）電球は通常の白熱電球に適用されている減圧状態に保つが、不活性ガスは、適用しない。
（ｃ）ランプは１２Ｖ２０Ｗとした。
（ｄ）ガラス球の形状その他は随時決定する。
【００４７】
以下、実施例を用いて、本発明の上記実施形態における電灯回路の特性・性能を説明する。
【００４８】
以下の実施例において、電灯（竹フィラメントランプ）の仕様は以下の通りである。
・行灯コンセント入力：ＡＣ１００Ｖ５０／６０Ｈｚ
・電球              ：１２Ｖ１５Ｗ（通常使用時）
：１４Ｖ２０Ｗ（最大使用時）
・フィラメント材質  ：竹炭
【００４９】
本実施例では、試験した部屋の照明を消し、電灯（竹フィラメントランプ）のみを点灯した。赤みの強い、ロウソクに近い光であることを確認した。行灯での点灯試験では、障子越しにみる灯りはロウソクの行灯と大差ないように見られた。
【実施例１】
【００５０】
性能試験における、風検出時の、増幅回路１６とセンサ信号処理部１８間の信号の測定結果を図３に示す。図３より、風検出時、風センサ２８からの信号が正しく増幅されている事が確認できる。
【実施例２】
【００５１】
次に、ゆらぎ制御時の電灯２６に印加される電圧の測定結果を図４に示す。図４のグラフの１メモリは１００ｍｓ（ミリ・セカンド）を表す。図４より、電灯２６への印加電圧は、１３．８Ｖをピークとして約５Ｈｚで変動していることがわかる。次に説明するように、電灯２６は立下りの反応が遅い為、電圧の立下りを早くすることで揺らぎに対応している。
【実施例３】
【００５２】
図５は、本実施例における電灯２６の印加される電圧に対する応答速度の測定結果である。図５（ａ）は電灯２６に電圧をオンにした場合の、図５（ｂ）は電圧をオフにした場合の、電灯２６の明るさをプロットしている。
【００５３】
図５（ａ）より、電灯２６は、電圧を印加してから３００ｍｓ経ってから明るくなり始め、その明るさが飽和するまでに７００ｍｓの時間を要することが分かる。また、図５（ｂ）より、電圧を切るは、電灯２６が消灯するまでに４００ｍｓの時間を要することが分かる。
【実施例４】
【００５４】
本実施例では、電灯２６に電圧Ｖ０を印加し、更に電圧を上げ下げした場合の電灯２６の応答の測定結果を示す。
【００５５】
図６（ａ）は、電灯２６に印加する電圧をＶ０（＝１２Ｖ）とＶ１（＝１４Ｖ）の間で周期的に変化させた場合の電灯の明るさの測定結果を示すグラフである。１００ｍｓ間で電圧をＶ０からＶ１に増加させると、電灯２６の明るさはゆっくりと増し、電圧をＶ１からＶ０に減少させると、明るさは鋭く反応して減少する。再び１００ｍｓをかけて電圧をＶ０からＶ１に増加させると、電灯２６の明るさは最初の数十ｍｓは減少し続けるが、その後再び増加する。この電灯２６の明るさが減少を始め、再び増加を始めるまでに要する時間は１０〜６０ｍｓである。
【００５６】
図６（ｂ）は、上述のように電灯２６に印加する電圧をＶ０とＶ１の間で周期的に変化させた後、電圧をＶ０に一定にした場合の電灯２６の明るさの測定結果を表す。実施例３と同様、電灯２６が消灯するまでに数百ｍｓの時間を要することが分かる。
【００５７】
以上のように電圧の変化に対して緩やかに応答することにより、電灯２６は風等の揺らぎを適切に表現することができる。
【実施例５】
【００５８】
上述のように、電灯２６は電圧の変化に対して、数十〜数百ｍｓの時間をかけて緩やかに応答する。従って本実施形態の電灯２６は、数ｍｓ間隔の電圧変化を表現することは出来ない。そこで図７に示すように、本実施形態では電灯２６に印加する電圧変化の周期を、１００ｍｓと２００ｍｓの２種類とした。１００ｍｓの電圧変化の周期は弱い風に対応し、電圧をＶ０＝１２Ｖから６０ｍｓ間で１３Ｖに上昇させ、その後４０ｍｓでＶ０＝１２Ｖに下降させる。また、２００ｍｓの電圧変化の周期は強い風に対応し、電圧をＶ０＝１２Ｖから１２０ｍｓ間でＶｍａｘ＝１４Ｖに上昇させ、その後８０ｍｓでＶ０＝１２Ｖに下降させる。
【００５９】
このように２００ｍｓ、１００ｍｓの２種類の電圧変化の周期のモードと、電圧をＶ０＝一定に保つ計３種類のモードを組合わせることにより、風センサ２８が感知する風を表現することができる。以下、電圧変化を１００ｍｓ周期とするモードを第１モード、電圧変化を２００ｍｓ周期とするモードを第２モード、電圧変化電圧をＶ０＝一定に保つモードを第３モードとよぶ。
【００６０】
風センサ２８がある閾値以上の風を感知すると、センサ信号処理部１８はスイッチ回路２２にパルス信号を送り、電灯２６は第１モードの状態となる。即ち電灯２６には図７のＢ波のような電圧が印加される。更に高い閾値以上の風を風センサ２８が感知すると、電灯２６は第２モードの状態となり、電灯２６には図７のＡ波の電圧が印加される。
【００６１】
風センサ２８が感知する風の強さが上記第1モードの状態をとるための閾値に達しない場合には、電灯２６は第３モードの状態となる。この場合電灯２６にはＶ０＝１２Ｖの一定電圧がかけられ、通常の照明と同様にほぼ一定の明るさで輝く。
【００６２】
あるいは回路で発生するノイズによって揺らぎを表現する、第４番目のモードを採用してもよい。この第４のモードでは、回路で発生する、もしくは回路に混入するノイズを、回路に悪影響を与えない程度に残しておき、ノイズを含んだ信号をセンサ信号処理部１８に入力する。センサ信号処理部１８では、揺らぎ制御の閾値の一つをノイズレベル以下と設定して、当該閾値に達しないノイズ信号はドライブ回路２０を介してスイッチ回路２２に送られる。このようなノイズ制御を行なうことにより、無風状態でも自然な揺らぎを再現することができる。
【００６３】
以上のように２種類以上のモードが組み合わされて輝くことにより、電灯２６は風を受けるロウソクの灯りように、揺らぐ明かりを表現することができる。上記モード数は５つ以上であってもよい。上記各モードをとり得る風の強さの閾値も自由に設定してよい。
【実施例６】
【００６４】
図８は、本発明の電灯２６を内蔵した行灯の一例である。行灯の側面にスリットを入れることにより、床に揺らぐ光を映えさせることができる。例えば水を表面にたたえた石等の上で本発明の電灯２６を使用すると、柔らかく揺らぐ自然な明かりが石の上に映し出されて情緒を増すことができる。
【実施例７】
【００６５】
その他、本発明の電灯回路は、複数の電灯を有していてもよい。この場合、図１において複数の電灯２６が、切替えスイッチ等の選択手段を介して、平滑化フィルタに並列に接続される。選択手段は、上記複数の電灯のうち何れか１又は複数の電灯を選択して、当該選択した電灯に電流を供給し、発光させる。
【００６６】
例えば市販の白熱灯と、竹フィラメントランプの何れかを選択するようにしておく。スイッチ電源をＯＮにした直後は白熱灯を選択して発光させ、発光までに時間を要する竹フィラメントランプが一定の明るさに達した時に白熱灯を消灯し、竹フィラメントランプを選択して発光させるようにしてもよい。また、竹フィラメントが切れると、白熱灯を選択するようにしてもよい。この場合、より自然で優しい竹フィラメントランプの光を、不便なく、長時間享受することができる。
【００６７】
以上、本発明の実施形態について説明したが、電灯はフィラメントランプに限定されず、
例えばタングステンランプ、ネオンランプ、水銀ランプ、ハロゲンランプ、その他一般に市販されているような白熱灯であってよい。本発明に使用する電灯は、電圧を印加することにより発光する他のいかなる発光体であってよい。また、上記実施形態で用いたフィラメントランプのフィラメントは竹炭に限定されず、竹以外の材料からなる炭フィラメントあるいはその他のいかなる材料からなるフィラメントを使用してもよい。
【００６８】
また、上記電圧変化の周期は１００ｍｓと２００ｍｓに限定されず、周期も２種類に限定されるものではない。更に電圧の大きさもＶ０＝１２ＶとＶｍａｘ＝１４Ｖに限定されない。
【００６９】
更に上記実施形態において、風センサはストレインゲージを備え、受けた風によりストレインゲージに取り付けた薄板の歪を利用して風の強さを感知した。しかし、本発明の電灯回路において風センサはストレインゲージを必ずしも用いる必要はなく、風に起因する圧力や伸縮、化学変化等の他の現象を利用して風の強さを感知するセンサであってもよい。
その他、本発明は、その主旨を逸脱しない範囲で当業者の知識に基づき種々の改良、修正、変更を加えた態様で実施できるものである。
【産業上の利用可能性】
【００７０】
本発明は、照明、特に和風の行灯に適し、茶室や和室書斎、庭園等に適した照明具として高い市場性が見込まれる。
【図面の簡単な説明】
【００７１】
【図１】本発明の電灯回路の一形態を表すブロック図である。
【図２】本発明の電灯回路における、風による揺らぎを再現する動作原理を表すブロック図である。
【図３】風検出時の、本発明の電灯における増幅回路とセンサ信号処理部間の信号の測定結果を表すグラフである。
【図４】ゆらぎ制御時の、本発明の電灯に印加される電圧の測定結果を表すグラフである。
【図５】（ａ）電灯に電圧を印加した場合の、電灯の明るさを表すグラフである。（ｂ）電灯に印加された電圧を切った場合の、電灯の明るさを表すグラフである。
【図６】（ａ）電灯に印加する電圧をＶ０とＶ１の間で周期的に変化させた場合の電灯の明るさの測定結果を示すグラフである。（ｂ）電灯に印加する電圧をＶ０とＶ１の間で周期的に変化させた後、電圧をＶ０に一定にした場合の電灯の明るさの測定結果を示すグラフである。
【図７】電灯に印加する電圧を表す図である。
【図８】本発明の電灯を内蔵した行灯を表す図である
【符号の説明】
【００７２】
１０：電灯回路
１２：スイッチング電源
１４：電源回路
１６：増幅回路
１８：センサ信号処理部
２０：ドライブ回路
２２：スイッチ回路
２４：平滑化フィルタ
２６：電灯
２８：風センサ
【図１】
2005228587.tif 000005
【図２】
2005228587.tif 000006
【図３】
2005228587.tif 000007
【図４】
2005228587.tif 000008
【図５】
2005228587.tif 000009
【図６】
2005228587.tif 000010
【図７】
2005228587.tif 000011
【図８】
2005228587.tif 000012